(57)【要約】【課題】日常生活において実用的に役立ち、日々目にする時計において、従来の文字盤に記念の事項等や写真が表示されただけの時計にはない、時計本来の意義と記念すべき事項とがかけあわされた記念時計を提供することを目的とする。【解決手段】時を刻む時計針である長針及び／または短針において、記念の内容を示すため、少なくとも文字を含む表示部を設けて時計を構成する。【選択図】図１
0003152254.tif 000002
【実用新案登録請求の範囲】
【請求項１】
長針及び／または短針において、少なくとも文字を含む表示部が設けられていることを特徴とする記念時計。
【請求項２】
上記表示部において示される文字として、少なくとも人名またはイニシャルを示す文字が含まれていることを特徴とする請求項１に記載の記念時計。
【請求項３】
時計の３のメモリを指す長針及び／または短針を正面視した際に、上記表示部が、針の上側側面及び／または下側側面に連続して形成されていることを特徴とする請求項１または２に記載の記念時計。
【請求項４】
長針及び／または短針の正面視側に視認される表面と、上記表示部の正面視側に視認される表面とが面一となるよう形成されていることを特徴とする請求項１乃至３のいずれか１項に記載の記念時計。
【考案の詳細な説明】
【技術分野】
【０００１】
本考案は、長針と短針とを備えるアナログ時計に関し、より詳しくは、任意の記念に関する人名あるいは事項等が、時計を見ることによって確認可能な記念時計に関する。
【背景技術】
【０００２】
従来、結婚、赤ちゃんの誕生、任意の賞の受賞、ホールインワンなどの特別な事柄などを記念するために、当事者の記念として、あるいはこれを祝ってくれる人への記念品として、記念の事項や記念に関する写真等を表示した置物が作成され、贈呈される習慣がある。
【０００３】
また、置物だけではなく、記念の事項や記念に関する写真などを文字盤に表示した置時計や掛け時計が提案されている。例えば下記特許文献１には、時計の文字盤の背景に任意の写真や絵等の背景紙を交換可能に使用する時計が提案されており、上記写真あるいは背景紙などにおいて、記念写真や記念の事項が表示された背景紙を使用することによって、記念品の時計として使用し得る。
【先行技術文献】
【特許文献】
【０００４】
【特許文献１】２００１−１３２７２
【考案の概要】
【考案が解決しようとする課題】
【０００５】
しかしながら、記念の事項等が表示された置物は、良い記念にはなるものの、日常生活において実用的に使用するものではないため置き場所に困るなど、受け取った側において取扱いに困る場合があった。
【０００６】
一方、時計であれば、日常生活において実用的に役立たせることができるので、記念品、且つ日用品としての双方の役割を果たすことができるため、上記置物のような問題点は解消される。
【０００７】
しかしながら、時計を記念品として取り扱うときに、単なる装飾として文字盤に写真や記念の事項を表示するのではなく、時計としての特徴を最大限に利用し、時を刻み続ける時計において、記念すべき人の名前や事項をより意義深く表示可能とする記念時計を提供したいという要望があった。
【０００８】
本考案は、上記問題に鑑みなされたものであって、日常生活において実用的に役立ち、日々目にする時計において、従来の文字盤に記念の事項等や写真が表示されただけの時計にはない、時計本来の意義と記念すべき事項とがかけあわされた記念時計を提供することを目的とするものである。
【課題を解決するための手段】
【０００９】
本考案者は、時計において、時を刻む時計針に着眼し、ここに記念の内容を示す表示部を設けることにより、上記目的が達成されることを見出し、本考案を完成させた。
【００１０】
即ち本考案は、
（１）長針及び／または短針において、少なくとも文字を含む表示部が設けられていることを特徴とする記念時計、
（２）上記表示部において示される文字として、少なくとも人名またはイニシャルを示す文字が含まれていることを特徴とする上記（１）に記載の記念時計、
（３）時計の３のメモリを指す長針及び／または短針を正面視した際に、上記表示部が、針の上側側面及び／または下側側面に連続して形成されていることを特徴とする上記（１）または（２）に記載の記念時計、
（４）長針及び／または短針の正面視側に視認される表面と、上記表示部の正面視側に視認される表面とが面一となるよう形成されていることを特徴とする上記（１）乃至（３）のいずれか１つに記載の記念時計、
を要旨とするものである。
【考案の効果】
【００１１】
本考案は、長針及び／または短針において、少なくとも文字を含む表示部が設けられており、上記表示部において、記念すべき名前や事項を表示することができる。したがって、従来の記念の置物のように単に飾るだけではなく、実用品と記念品との２つの役割を同時に果たすことが可能である。
しかも、時計の針に記念の内容を付することができるため、時を刻むという時計の特徴と記念の内容とが重なり合い、記念品としての価値及び意義が増大する。しかも、時計は、一日に何度となく目に触れるものであって、しかも具体的には針の位置を肉眼で確認するものであるため、そのたびに、同時に記念の事項も目に触れることになる点も、本考案の記念品としての優れた点である。
【図面の簡単な説明】
【００１２】
【図１】本考案の記念時計の一実施態様を示し正面図である。
【図２】本考案の記念時計の一実施態様における針部分の拡大図である。
【図３】本考案の記念時計の一実施態様における針部分の拡大図である。
【図４】本考案の記念時計の一実施態様における針部分の拡大図である。
【考案を実施するための形態】
【００１３】
以下に、図面を用いて本考案を実施するための形態について説明する。図１は、本考案の記念時計の一実施態様を表す正面図である。図１に示す本考案の記念時計１は、文字盤２の中央に、短針３、長針４、秒針５の端部が、回転可能に軸支されて構成されており、所謂アナログ式の一般的な時計の構造が採用されている。記念時計１は、新郎「Ｋｏｔａｒｏ」と新婦「Ａｋａｎｅ」の結婚を祝して、披露宴出席者に感謝と記念の意味をこめて送ることを趣旨とするものである。したがって、長針に新郎の名前を示す「Ｋｏｔａｒｏ」なる文字からなる表示部を、短針に新婦の名前を示す「Ａｋａｎｅ」なる文字からなる表示部６を設けて構成されている。
【００１４】
また記念時計１における文字盤２の表面には、「Ｔｈａｎｋ  ｙｕｏ」なる文字からなる文字盤装飾７および、新郎新婦の写真が印刷されてなる文字盤装飾８が施されている。本考案の記念時計では、このように、任意で文字盤に、文字や写真、あるいは絵柄などからなる文字盤装飾を施してもよい。
【００１５】
本考案の異なる実施態様として、特に短針、および長針部分を拡大した部分拡大図である図２乃至図４を示す。尚、図１乃至図４においては、短針及び長針に加えて、秒針も示すが、本考案において秒針を設けるか否かは任意である。
【００１６】
図２は、短針３において新郎および新婦のイニシャルを示す「Ａ＆Ｋ」なる文字からなる表示部１１が設けられ、また長針４には、結婚した年月日を示す「２００１  １  １」なる数字からなる表示部１２が設けられた態様を示すものである。
また図３は、図２と同様に短針において新郎新婦のイニシャルを示す表示部１１を設けるとともに、長針において三つの輪から構成される家紋を表す図形からなる表示部１３が設けられた態様を示すものである。
以上に示す、図１乃至図３における表示部６、１１、１２及び１３は、いずれも、長針あるいは短針が、時計の３のメモリを指した状態を正面視した際に、針の上側側面に連続して設けられている。ただし、本考案における表示部はこの態様に限定されず、例えば、長針あるいは短針が、時計の３のメモリを指した状態を正面視した際に、針の下側側面に連続して形成され、ちょうど時計の９のメモリを指した状態を正面視した際に、針の上側に表示部が位置するよう形成されていてもよい。
あるいはまた、図４に示すように針の伸長方向における中心線上に表示部が位置するよう形成されていてもよい。即ち、図４における短針３には、時計の文字盤に軸支される端部と、可動する他端との間において、その両端部を結ぶ中心線上の任意の位置に、新郎新婦のイニシャルを示す文字からなる表示部１４が設けられており、また長針４には、同様に、針の伸長方向において、時計本体に軸支される端部と、可動する他端との間において、その両端部を結ぶ中心線上の任意の位置に、三つの輪からなる家紋を示す図形からなる表示部１５が設けられている。このように、長針及び／または短針において設けられる表示部の位置は、時計としての機能が損なわれない範囲において針に対し任意の位置に設計することができる。尚、表示部１４は、表示部１４の外枠と文字を表すラインを残し、繰り抜いた状態となるよう形成されているが、別の態様として、たとえば、表示部１４をプレート状に形成し、文字と周囲の領域とを色分けするなどして、文字等を視認可能に表示する形態を採用することもできる。
【００１７】
また、長針及び／または短針の正面視側に視認される表面、および上記表示部の正面視側に視認される表面についても、時計として機能が損なわれない範囲において表面の凹凸形状等については任意に形成することができる。一般的には、長針及び／または短針の正面視側に視認される表面、および上記表示部の正面視側に視認される表面が、面一となるよう形成されていることが好ましい。
尚、図１乃至図４においては、結婚披露宴において配られる記念時計を例に本考案の実施態様を示したが、本考案の記念時計は、結婚式の記念に限定されず、赤ちゃんの誕生、各種賞の受賞、ホールインワンなどの特別の事柄などの任意の事項を記念するための時計であればよい。そして表示部において文字により表示される内容も、記念に関与する人名やイニシャルだけでなく、記念の事項の内容などを表示するものであってもよい。また、本考案における表示部において表示する氏名、あるいはイニシャルは、新郎新婦や受賞者の名前だけに限定されるものではない。たとえば、結婚式、披露宴、授賞式などに出席してくれた人への感謝と記念の意を込めて、出席者の氏名やイニシャルを表示部に示してもよい。このように、贈呈される側の氏名やイニシャルを示す表示部を設けることによっても本考案の記念時計を実施することができる。
【００１８】
より具体的な例としては、本考案における表示部は、図１に示される態様に限定されず、ゴルフのホールインワンを記念する記念時計として本考案が採用される場合には、例えば、短針または長針のいずれか一方の時計針における表示部において、プレイヤーの名前、あるいはホールインワンなどの文字を表示し、他方の時計針における表示部において、ホールインワンが行われた年月日を示す数字、あるいはゴルフボールを示す図形などを表示してもよい。また、赤ちゃんの誕生を記念する記念時計として本考案が採用される場合には、例えば、短針または長針のいずれか一方の時計針における表示部において、赤ちゃんの名前を示す文字を表示し、他方の時計針における表示部において、赤ちゃんが誕生した年月日を示す数字、あるいはさらに家紋などの図形を表示部において示してもよい。
本考案は、短針または長針の少なくとも一方において、文字を含む表示部を備える構成が採用されるが、これは、記念の内容を、時を刻む時計の針部分において文字で示すことを趣旨とする。例えば新郎新婦の名前を文字として表示部に示すことによって、二人の絆が永続的に刻みこまれることの象徴として本考案の記念時計を意味づけることができる。したがって、長針及び／または短針のいずれの表示部においても、文字を含まず、数字のみ、数字と図形の組み合わせ、図形のみなどのものは本考案から除外される。尚、本考案において、表示部に示される文字とは、ひらがな、カタカナ、漢字、アルファベット、あるいは日本語及び英語以外の言語を表す文字であればいずれのものであってもよい。
【００１９】
本考案において、上記表示部を短針あるいは長針に設ける方法は、特に限定されず、従来公知の成形方法を適宜選択して表示部を時計針に設けることができる。たとえば、針と表示部とを個別に成型し、接着剤などで互いに接着させるか、あるいは釘などの部材で互いを固定してもよい。しかしながら、時計の針及び表示部を樹脂材料で成形する場合には、特に、針および表示部を一体成型により一度に成型することにより、成型コストを安価に抑えることができ、また成形作業も容易であることから好ましい。
【００２０】
ただし上述は、本考案における短針、長針、および表示部の構成材料を樹脂に限定する趣旨ではなく、本考案における短針、長針、および表示部は、樹脂以外の材料、例えば、金属、木、紙などの公知の材料で成形してもよい。
【００２１】
尚、本考案の記念時計を構成する針および表示部以外のその他の部材については、その構成材料および作製方法などは、公知の時計と同様とすることができる。
【符号の説明】
【００２２】
１  本考案の記念時計
２  文字盤
３  短針
４  長針
５  秒針
６、１１、１２、１３、１４、１５  表示部
７、８  文字盤装飾
【図１】
0003152254.tif 000003
【図２】
0003152254.tif 000004
【図３】
0003152254.tif 000005
【図４】
0003152254.tif 000006